(57)【要約】      （修正有）【課題】一般利用者に消費財を流通させる消費財流通システム及び消費財流通方法を提供する。【解決手段】消費財流通システムのサーバは、消費財の情報を、事業者端末から受け付ける消費財情報受付部と、消費財の情報を一般利用者端末で閲覧可能に公開すると共に、一般利用者端末から、一般利用者端末のユーザの位置情報及び消費財の借用希望期間を含む借用要求を受け付ける借用要求受付部と、受け付けた消費財の借用要求と、消費財の貸与スケジュールとに基づいて一般利用者端末のユーザに消費財の貸与が可能であるか否かを判定し、消費財の貸与が可能であると判定された場合に、消費財の借用希望期間を消費財の貸与期間として挿入するように消費財の貸与スケジュールを更新し、消費財の貸与スケジュール及び消費財を貸与するユーザの位置情報を自動配送事業者端末へ通知する計画生成部と、を含む。【選択図】図２
2020201552.tif 000002
【特許請求の範囲】
【請求項１】
消費財の情報を、事業者端末から受け付ける消費財情報受付部と、
前記消費財の情報を一般利用者端末で閲覧可能に公開すると共に、前記一般利用者端末から、前記一般利用者端末のユーザの位置情報及び前記消費財の借用希望期間を含む借用要求を受け付ける借用要求受付部と、
前記受け付けた前記消費財の借用要求と、前記消費財の貸与スケジュールとに基づいて前記一般利用者端末のユーザに前記消費財の貸与が可能であるか否かを判定し、前記消費財の貸与が可能であると判定された場合に、前記消費財の借用希望期間を前記消費財の貸与期間として挿入するように前記消費財の貸与スケジュールを更新し、前記消費財の貸与スケジュール及び前記消費財を貸与するユーザの位置情報を自動配送事業者端末へ通知する計画生成部と、
を含むサーバを備えた消費財流通システム。
【請求項２】
前記消費財は、無線通信が可能なタグセンサを備え、
前記サーバは、前記ユーザが有する消費財の格納庫に設けられた、前記タグセンサを検出する検出装置との通信に基づいて、前記ユーザへ前記消費財が配送されたことを検出する配送検出部を更に含む請求項１に記載の消費財流通システム。
【請求項３】
前記サーバは、貸与期間が過ぎた前記消費財について、前記消費財が貸与された前記ユーザの前記格納庫に設けられた前記検出装置との通信で得られた情報に基づいて、前記消費財の回収が可能であることを検出し、前記自動配送事業者端末へ通知する回収可能状態検出部を更に含む請求項２に記載の消費財流通システム。
【請求項４】
前記タグセンサは、前記一般利用者端末から前記検出装置を介して使用停止フラグをオンに設定可能で、
前記検出装置との通信で得られた、前記消費財の前記タグセンサに設定された前記使用停止フラグに基づいて、前記消費財の回収が可能であることを検出し、前記自動配送事業者端末へ通知する回収可能状態検出部を更に含む請求項２記載の消費財流通システム。
【請求項５】
消費財の情報を、事業者端末から受け付ける工程と、
前記消費財の情報を一般利用者端末で閲覧可能に公開する工程と、
前記一般利用者端末から、前記一般利用者端末のユーザの位置情報及び前記消費財の借用希望期間を含む借用要求を受け付ける工程と、
前記受け付けた前記消費財の借用要求と、前記消費財の貸与スケジュールとに基づいて前記一般利用者端末のユーザに前記消費財の貸与が可能であるか否かを判定する工程と、
前記消費財の貸与が可能であると判定された場合に、前記消費財の借用希望期間を前記消費財の貸与期間として挿入するように前記消費財の貸与スケジュールを更新し、前記消費財の貸与スケジュール及び前記消費財を貸与するユーザの位置情報を自動配送事業者端末へ通知する工程と、
を備えた消費財流通方法。
【発明の詳細な説明】
【技術分野】
【０００１】
本発明は、一般利用者に消費財を流通させる消費財流通システム及び消費財流通方法に関する。
【背景技術】
【０００２】
流通は、一般利用者が使用を望む消費財を、必要な時に必要なだけ、幅広い範囲から選択して安価に利用できることが望まれる場合がある。かかる場合は、売買で消費財を入手するのではなく、賃貸しであるレンタルを利用することが考えられる。レンタルによって入手した消費財は、不要になれば事業者に返却できるので、一般利用者は無駄な消費財を手元に置かなくて済む。
【０００３】
しかしながら、事業者は、レンタルする多様な消費財を保持する必要があるので、消費財の保持に係るコスト等が問題となる。また、消費財のレンタルを希望する一般利用者は、使用を希望する消費財がどの事業者が保持しているかを調べなければならず、さらに使用を希望する消費財を保持する事業者とコンタクトする必要がある。従って、消費財の使用を希望する一般利用者と消費財をレンタルする事業者との仲介の選択肢が少なく柔軟性に欠けるため、またはレンタルした消費財を一般利用者に配送する手段と一般利用者が当該消費財を返送する手段とが一体化されておらず非効率的であるため、消費財が減価償却に至るまでの時間的な価値が損なわれるおそれがあるという問題があった。
【０００４】
特許文献１には、イベントの企画者等、イベント場所の提供者及びイベント参加者を含んだイベントの調整を行うイベントマッチングシステムの発明が開示されている。
【０００５】
特許文献２には、車両等の移動体を、街中を巡回する移動店舗として効率的に活用する移動店舗巡回スケジュール作成装置の発明が開示されている。
【先行技術文献】
【特許文献】
【０００６】
【特許文献１】特許５５８９０１４号公報
【特許文献２】特許６２７９２７２号公報
【発明の概要】
【発明が解決しようとする課題】
【０００７】
しかしながら、特許文献１に記載の発明は、構成要素に配送車が含まれておらず、レンタルした消費財を一般利用者に配送する手段が確立されていないという問題があった。
【０００８】
また、特許文献２に記載の発明は構成要素に市場運営者が含まれておらず、消費財の使用を希望する一般利用者と消費財をレンタルする事業者との仲介が容易ではないという問題があった。
【０００９】
本発明は、上記問題に鑑みてなされたものであり、一般利用者と消費財をレンタルする事業者との仲介及び消費財を一般利用者に配送する手段を備え、一般利用者に消費財を効率的に流通させる消費財流通システム及び消費財流通方法を実現することを目的とする。
【課題を解決するための手段】
【００１０】
上記目的を達成するために、請求項１に記載の消費財流通システムは消費財の情報を、事業者端末から受け付ける消費財情報受付部と、前記消費財の情報を一般利用者端末で閲覧可能に公開すると共に、前記一般利用者端末から、前記一般利用者端末のユーザの位置情報及び前記消費財の借用希望期間を含む借用要求を受け付ける借用要求受付部と、前記受け付けた前記消費財の借用要求と、前記消費財の貸与スケジュールとに基づいて前記一般利用者端末のユーザに前記消費財の貸与が可能であるか否かを判定し、前記消費財の貸与が可能であると判定された場合に、前記消費財の借用希望期間を前記消費財の貸与期間として挿入するように前記消費財の貸与スケジュールを更新し、前記消費財の貸与スケジュール及び前記消費財を貸与するユーザの位置情報を自動配送事業者端末へ通知する計画生成部と、を含むサーバを備えている。
【００１１】
また、請求項２に記載の消費財流通システムは、請求項１に記載の消費財流通システムにおいて、前記消費財は、無線通信が可能なタグセンサを備え、前記サーバは、前記ユーザが有する消費財の格納庫に設けられた、前記タグセンサを検出する検出装置との通信に基づいて、前記ユーザへ前記消費財が配送されたことを検出する配送検出部を更に含む。
【００１２】
また、請求項３に記載の消費財流通システムは、請求項２に記載の消費財流通システムにおいて、前記サーバは、貸与期間が過ぎた前記消費財について、前記消費財が貸与された前記ユーザの前記格納庫に設けられた前記検出装置との通信で得られた情報に基づいて、前記消費財の回収が可能であることを検出し、前記自動配送事業者端末へ通知する回収可能状態検出部を更に含む。
【００１３】
また、請求項４に記載の消費財流通システムは、請求項２に記載の消費財流通システムにおいて、前記タグセンサは、前記一般利用者端末から前記検出装置を介して使用停止フラグをオンに設定可能で、前記検出装置との通信で得られた、前記消費財の前記タグセンサに設定された前記使用停止フラグに基づいて、前記消費財の回収が可能であることを検出し、前記自動配送事業者端末へ通知する回収可能状態検出部を更に含む。
【００１４】
上記目的を達成するために、請求項５に記載の消費財流通方法は、消費財の情報を、事業者端末から受け付ける工程と、前記消費財の情報を一般利用者端末で閲覧可能に公開する工程と、前記一般利用者端末から、前記一般利用者端末のユーザの位置情報及び前記消費財の借用希望期間を含む借用要求を受け付ける工程と、前記受け付けた前記消費財の借用要求と、前記消費財の貸与スケジュールとに基づいて前記一般利用者端末のユーザに前記消費財の貸与が可能であるか否かを判定する工程と、前記消費財の貸与が可能であると判定された場合に、前記消費財の借用希望期間を前記消費財の貸与期間として挿入するように前記消費財の貸与スケジュールを更新し、前記消費財の貸与スケジュール及び前記消費財を貸与するユーザの位置情報を自動配送事業者端末へ通知する工程と、を備えている。
【発明の効果】
【００１５】
本発明によれば、一般利用者に消費財を効率的に流通させる消費財流通システム及び消費財流通方法を実現することができるという効果を奏する。
【図面の簡単な説明】
【００１６】
【図１】本発明の実施の形態に係る消費財流通システムの一例を示したブロック図である。
【図２】本発明の実施の形態に係る消費財流通システムの処理の一例を示したシーケンス図である。
【図３】本発明の実施の形態に係る消費財流通システムの基本的なフローの一例を示した説明図である。
【図４】タグセンサを用いた消費財の配送及び回収の判断の一例を示したフローチャートである。
【図５】タグセンサの状態を変更する一般利用者端末の画面の一例を示した説明図である。
【図６】タグセンサの状態切り替えの一例を示した概略図である。
【図７】シェアスケジューラにおける消費財毎に紐付いたスケジュール管理の一例を示したフローチャートである。
【図８】シェアスケジューラで管理する消費財毎に紐付いたスケジュールの一例を示した説明図である。
【図９】消費財のシェアにおける地理的条件の一例を示した説明図である。
【発明を実施するための形態】
【００１７】
以下、図面を参照して本発明の実施の形態に係る消費財流通システムを詳細に説明する。図１は、本実施の形態に係る消費財流通システム１００の一例を示したブロック図である。消費財流通システム１００は、市場運営者のサーバ１０、シェアする消費財等を企画する企画者の端末１２（以下、「企画者端末１２」と略記）、市場に消費財（コンテンツ）を提供するコンテンツ事業者の端末１４（以下、「コンテンツ事業者端末１４」と略記）、市場の顧客である一般利用者の端末１６（以下、「一般利用者端末１６」と略記）、一般利用者端末１６のユーザ宅に設けられ、配送された消費財が収納される宅配ボックスに類似した宅配タンス４２、及び消費財を配送する車両を管理する自動配送事業者の端末１８（以下、「自動配送事業者端末１８」と略記）が、各々ネットワーク３０に接続されて構成されている。宅配タンス４２には、後述するように、消費財を識別するタグセンサの存在を検出するタグセンサ用送受信機４４が設けられている。
【００１８】
サーバ１０は、Ｗｅｂサービスを提供可能な、Ｗｅｂサーバであり、消費財の管理及び消費財シェアのスケジュールに係る。サーバ１０は、例えば、消費財の管理に係る品目管理サーバと、及び消費財シェアのスケジュールに係るシェアスケジューラと、のように別個のコンピュータで構成されていてもよい。
【００１９】
企画者端末１２、コンテンツ事業者端末１４及び自動配送事業者端末１８の各々は、ＰＣ等のネットワーク３０を介した通信が可能なコンピュータである。一般利用者端末１６は、ネットワーク３０を介した通信が可能であれば、ＰＣ等のコンピュータの他に、スマートフォン等の携帯情報端末でもよい。
【００２０】
図２は、本実施の形態に係る消費財流通システム１００の処理の一例を示したシーケンス図である。ステップＳ１では、コンテンツ事業者端末１４から出品希望の消費財の品目を、市場運営者が管理するサーバ１０へ送信し、サーバ１０において、出品希望の消費財の品目を登録する消費財登録を行う。ステップＳ２では、サーバ１０は、コンテンツ事業者端末１４に出品受理通知を送信する。
【００２１】
ステップＳ３では、サーバ１０が、一般利用者端末１６からの品目情報閲覧リクエストに応じて、一般利用者端末１６に品目情報を提示する。品目情報の提示は、サーバ１０上に構築された専用サイトにアップロードしてもよいし、電子メールで一般利用者端末１６に品目情報を送信してもよい。
【００２２】
ステップＳ４では、一般利用者端末１６から、シェア(レンタル)したい消費財について、使用期間、利用者位置情報等からなるシェア希望リクエストをサーバ１０に送信する。
【００２３】
ステップＳ５では、サーバ１０で、シェア希望リクエスト、及びシェア対象の消費財のシェアスケジュールに基づいて、シェア対象の消費財のシェア期間を決定する。
【００２４】
ステップＳ６では、サーバ１０は、シェア対象の品目、シェア期間、消費財が保持されている場所及び配送場所である一般利用者の場所を記した品目期間場所情報を自動配送事業者端末１８に送信する。ステップＳ３からある程度の時間が経過すると、消費財は他の一般利用者が保持している場合がある。かかる場合に、品目期間場所情報に含まれる消費財が保持されている場所は、他の一般利用者の場所であり、自動配送事業者は、自動運転車両等を用いて、当該他の一般利用者から消費財を回収し、回収した消費財を次にシェアを希望する一般利用者に配送する。他の一般利用者が当該消費財を保持しているか否かの判断は、後述するように、一般的には消費財に付されたＲＦＩＤ（radio frequency identifier）等のタグセンサの検出に基づく。
【００２５】
ステップＳ７では、自動配送事業者端末１８で、消費財の配送スケジュール及び経路計画を決定する。そして、ステップＳ８では、消費財の配送に用いる車両の配車を行い、消費財の配送作業を行う。
【００２６】
ステップＳ９では、一般利用者端末１６のユーザ宅の宅配タンス４２内のタグセンサ用送受信機４４が、消費財を識別するタグセンサの存在を検出したことをサーバ１０に通知する。サーバ１０は、ステップＳ９の通知により、当該消費財の配達が完了したことを検出する。
【００２７】
一般利用者端末１６のユーザがシェアされた消費財の使用を終了する場合、ステップＳ１１で、一般利用者端末１６からタグフラグ設定コマンドを宅配タンス４２内のタグセンサ用送受信機４４に送信する。ステップＳ１２では、タグセンサ用送受信機４４が、一般利用者端末１６から受信したタグフラグ設定コマンドに従って消費財に付されたタグセンサの回収フラグをオンにするタグフラグ設定を行う。そして、ステップＳ１３では、タグセンサ用送受信機４４が、消費財のタグセンサの回収フラグがオンになったことを示すタグ検出通知をサーバ１０に送信する。
【００２８】
ステップＳ１４では、サーバ１０は、消費財が回収可能な状態になったことを自動配送事業者端末１８に送信する。
【００２９】
ステップＳ１５では、自動配送事業者端末１８で、消費財の回収スケジュール及び経路計画を決定する。そして、ステップＳ１６では、消費財の回収に用いる車両の配車を行い、消費財の回収作業を行う。
【００３０】
ステップＳ１７では、宅配タンス４２内のタグセンサ用送受信機４４が、消費財に付されているタグセンサからの信号を受信しなくなったことをサーバ１０に通知する。ステップＳ１８では、配車された車両に格納された消費財のタグセンサのフラグがオン状態であることを車両のタグセンサ用送受信機（図示せず）が検出したことをサーバ１０に通知する。ステップ１９では、サーバ１０は、ステップＳ１７、Ｓ１８の通知により、消費財の回収が完了したことを検出する。
【００３１】
ステップＳ２０では、サーバ１０は、シェアされている消費財の価値償却時判断を行う。価値償却時判断は、例えば下記式のような空転係数を定義する。サーバ１０は、空転係数がある閾値 thr 以下となった場合を消費財の価値償却時と判断し、コンテンツ事業者へ当該消費材をコンテンツ事業者に返却する決定を行う。
空転係数 ir = 利用頻度 f x 付加価値係数 w
【００３２】
ステップＳ２１では、サーバ１０は、コンテンツ事業者端末１４に価値償却された消費財の返却通知を行う。ステップＳ２２では、サーバ１０は、返却対象の品目、消費財を回収する一般利用者の場所及び消費財を返却するコンテンツ事業者の場所を記した品目場所情報を自動配送事業者端末１８に送信する。
【００３３】
ステップＳ２３では、自動配送事業者端末１８で、消費財の返却スケジュール及び経路計画を決定する。そして、ステップＳ２４では、消費財の返却に用いる車両の配車を行い、消費財の返却作業を行う。コンテンツ事業者に返却された消費財は、コンテンツ事業者の処分権に基づき、保管又は廃棄される。
【００３４】
図３は、本実施の形態に係る消費財流通システム１００の基本的なフローの一例を示した説明図である。図３の（０）に示したように、コンテンツ事業者の各々は、サーバ１０に、提供可能なレンタル商品の品目、当該レンタル品の色及びサイズ等の特徴、可能とされる被レンタル回数、レンタル可能な期間及びレンタルの価格等を示す情報を送信する消費財登録を行う（上記ステップＳ１に相当）。
【００３５】
（１）に示したように、一般利用者は、一般利用者端末１６を用いてサーバ１０のサイトから、シェア可能な消費財を検索する。サーバ１０は、（２）に示したように、一般利用者端末１６に、消費財の品目、当該消費財のシェアのスケジュールに係る情報である品目情報を提示する（上記ステップＳ３に相当）。そして、一般利用者端末１６は、シェアしたい消費財について、使用期間、利用者位置情報等からなるシェア希望リクエストをサーバ１０に送信する（上記ステップＳ４に相当）。
【００３６】
（３）に示したように、サーバ１０は、シェア対象の品目、シェア期間、消費財が保持されている場所及び配送場所である一般利用者の場所を記した品目期間場所情報を自動配送事業者端末１８に送信する（上記ステップＳ６に相当）。
【００３７】
（４）に示したように、自動配送事業者は、消費財を積み込み、配送するための自動運転車の配車を行う（上記ステップＳ８に相当）。配車では、シェア対象の消費財が保持されている最も近い場所、又は当該消費財を積み込める最も近い場所を優先的に選択する。
【００３８】
（５）に示したように、シェアのリクエストがあった消費財を自動運転車に積み込む。
【００３９】
（６）に示したように、消費財の配送を行う。配送する消費財は、宅配タンス４２と呼称する収納庫に収める。
【００４０】
（７）に示したように、消費財を回収する。回収する消費財は、宅配タンス４２に収められている。回収した消費財は、次にシェアのリクエストがある場合は、当該リクエストに係る一般利用者に配送される。
【００４１】
本実施の形態において、一般利用者間で流通（シェア）される消費財には、タグセンサが取り付けられている。本実施の形態に係るタグセンサは、後述する宅配タンス４２に備わるリーダとしてのタグセンサ用送受信機からの電波をエネルギー源として動作するパッシブタグであり、宅配タンス４２内に備わるタグセンサ用送受信機により、タグセンサの宅配タンス４２内の有無及びタグセンサの状態がサーバ１０に送信される。タグセンサは電池を内蔵したアクティブタグでもよい。
【００４２】
タグセンサの状態は、取り付けられている消費財が使用中（シェア中）か、返却対象かを示す。一例として、タグセンサの回収フラグがオンになった場合に取り付けられている消費財が返却対象となる。タグセンサの回収フラグの状態は、一般利用者端末１６により設定できる。
【００４３】
図４は、タグセンサを用いた消費財の配送及び回収の判断の一例を示したフローチャートである。ステップ４００では、消費財は収納庫である宅配タンス４２内か否かをタグセンサからの情報に基づいて判定する。ステップ４００で、消費財が宅配タンス４２内に存在する場合は手順をステップ４０２に移行し、消費財が宅配タンス４２内に存在しない場合は手順をステップ４０６に移行する。
【００４４】
ステップ４０２では、タグセンサがオンか否かを判定する。ステップ４０２で、タグセンサがオンになっている場合は手順をステップ４０４に移行し、タグセンサがオフの場合は手順をステップ４０６に移行する。
【００４５】
ステップ４０４では、サーバ１０において、消費財回収のフラグをオンにして処理を終了する。
【００４６】
ステップ４０６では、消費財が返却期限内か否かを判定する。ステップ４０６で、消費財が返却期限内の場合は手順をステップ４００に移行し、消費財が返却期限内ではない場合は手順をステップ４０８に移行する。
【００４７】
ステップ４０８では、一般利用者端末１６に返却期限を通知して、手順をステップ４００に移行する。
【００４８】
図５は、タグセンサの状態を変更する一般利用者端末１６の画面の一例を示した説明図である。図５に示したように、Bluetooth（登録商標）又はＮＦＣ（Near Field Communication）を介して通信可能な一般利用者端末１６を用いて、一般利用者が「シェア」（タグセンサがオフ）と「返却」（タグセンサがオン）とを切り替える。
【００４９】
図６は、タグセンサ４６Ａ、４６Ｂ、４６Ｃの状態切り替えの一例を示した概略図である。図５で示した画面上で設定したタグセンサ４６Ａ〜４６Ｃの情報は、宅配タンス４２装備のリーダ４０で読み取る。そして、宅配タンス４２内のタグセンサ用送受信機４４は、リーダで読み取った情報に基づいて、タグセンサ４６Ａ〜４６Ｃの状態を書き替える。
【００５０】
宅配タンス４２内のタグセンサ用送受信機４４は、タグセンサ４６Ａ、４６Ｂ、４６Ｃ、４６Ｄ、４６Ｅとの通信可否に基づいて、消費財が宅配タンス４２内に存在するか否かを判定する。宅配タンス４２内に消費財が存在する場合は、タグセンサ４６Ａ〜４６Ｅの各々のオン又はオフの状態をサーバ１０に送信する。サーバ１０は、タグセンサ用送受信機４４から受信した情報に従い、記憶しているタグセンサ４６Ａ〜４６Ｅの各々のオン又はオフの状態を更新する。
【００５１】
本実施の形態に係る消費財流通システム１００では、収納庫である宅配タンス４２内で消費財に取り付けられたタグセンサのオンオフの状態の書き替えを行うことにより、返却（タグセンサがオン）状態の消費財が宅配タンス４２に確実に存在することを保証する。
【００５２】
図７は、サーバ１０における消費財毎に紐付いたスケジュール管理の一例を示したフローチャートである。ステップ７００では、一例として、消費財Ａに対してユーザｍからのシェアリクエストを受信する。
【００５３】
図８は、サーバ１０で管理する消費財毎に紐付いたスケジュールの一例を示した説明図である。図８における「Ｔ／Ｒ」は自動運転車による消費財の輸送又は滞留を示す。図８中のｔは時刻、ｐは位置である。また、図８中のハッチング部分は、消費財が、記載された一般利用者（ユーザ）によりシェアされていることを示す。
【００５４】
図８に示したように、サーバ１０は、地点ｐ３に存在するユーザｍの消費財Ａのシェアリクエストを時刻ｔ１とｔ２の間に受信している。
【００５５】
ステップ７０２では、消費財Ａのスケジュールの確認を行う。そして、ステップ７０４では、スケジュール及び地理的条件を参照して、当該スケジュールにシェアリクエストの挿入が可能か否かを判定する。図９は、消費財Ａのシェアにおける地理的条件の一例を示した説明図である。図９には、消費財Ａのシェアに係るユーザａ、ユーザｂ及びユーザｍの所在地と、ユーザａ、ユーザｂ及びユーザｍの各々を結ぶルートが示されている。図８のスケジュールにおいて、消費財Ａは、ユーザｂによる消費財Ａのシェアが終了する時刻ｔ３以降はユーザｍがシェア可能であるが、ユーザｍの所在地がユーザｂの所在地から所定距離以上離れている場合、本実施の形態では、ユーザｍのシェアリクエストを消費財Ａのスケジュールに挿入しない。
【００５６】
ステップ７０４で、ユーザｍによるシェアリクエストの挿入が可能な場合は、手順をステップ７０６に移行し、当該シェアリクエストが挿入不可の場合は、手順をステップ７１０に移行する。
【００５７】
ステップ７０６では、図８の時刻ｔ４に示したように、ユーザｍによるシェアリクエストを挿入する。そして、ステップ７０８で、ユーザｍにシェアリクエストを受理したことを示す受理通知を送信して処理を終了する。
【００５８】
ステップ７０４で、ユーザｍによるシェアリクエストの挿入が不可能な場合は、ユーザｍによるシェアリクエストを挿入せずに、ステップ７０６で、不可通知をユーザｍに送信する。そして、ステップ７１２で代替日程通知等をユーザｍに送信して処理を終了する。
【００５９】
以上説明したように、本実施の形態に係る消費財流通システム１００によれば、消費財をシェアするスケジュールの管理に基づいて、一般利用者間で消費財を転々と流通させることができる。消費財を一般利用者間で流通させることにより、消費財を提供するコンテンツ事業者は、消費財がデッドストックになるおそれが低減される。
【００６０】
市場運営者が、インターネットを介して広くコンテンツ事業者とつながることによって、多種多様な消費財を、ニーズを有する一般利用者に、マッチングして貸すことができる。例えば、一般利用者は、市場運営者が設置したサーバ１０上に構築された専用サイト等を閲覧して、使用を望む消費財を、必要な時に、必要なだけ、幅広い範囲から選択して利用できる。一般利用者は、消費財をシェアすることにより、不要となった消費財を返却又は他の一般利用者間に受け渡すことができ、ストックを保有する必要がないため、不要な消費財を抱えるおそれがない。
【００６１】
市場運営者は、タグセンサを用いて消費財を管理するため、一般利用者とコンテンツ事業者の間の貸し借りが確実に実施される。例えば、対象とする消費財に付随したタグセンサと、当該タグセンサに連動した自動配送車両を用いることにより、コンテンツ事業の元にある対象の消費財を一般利用者に確実に届けることができる。また、貸与期間が過ぎた消費財を一般利用者から回収することができる。
【００６２】
従って、本実施の形態に係る消費財流通システム１００によれば、タグセンサを用いて貸借を通じた消費財の活用状況を時系列で管理することにより、活用されていない消費財の情報がインターネットを通じて広く一般利用者に供されるため、対象とする消費財がデッドストックになる時間が大幅に低減される。
【００６３】
なお、上記の実施の形態では、タグセンサの消費財回収フラグに基づいて、消費財の回収が可能であることを検出する場合を例に説明したが、これに限定されるものではない。例えば、サーバ１０は、貸与期間が過ぎた消費財について、当該消費財が貸与されたユーザの宅配タンス４２に設けられたタグセンサ用送受信機４４との通信で、当該消費財のタグセンサの存在を検出した場合に、当該消費財の回収が可能であることを検出し、自動配送事業者端末へ通知するようにしてもよい。
【符号の説明】
【００６４】
１０   サーバ
１４   コンテンツ事業者端末
１６   一般利用者端末
１８   自動配送事業者端末
３０   ネットワーク
４０   リーダ
４２   宅配タンス
４４   タグセンサ用送受信機
４６Ａ、４６Ｂ、４６Ｃ、４６Ｄ、４６Ｅ    タグセンサ
１００ 消費財流通システム
【図１】
2020201552.tif 000003
【図２】
2020201552.tif 000004
【図３】
2020201552.tif 000005
【図４】
2020201552.tif 000006
【図５】
2020201552.tif 000007
【図６】
2020201552.tif 000008
【図７】
2020201552.tif 000009
【図８】
2020201552.tif 000010
【図９】
2020201552.tif 000011